(57)【要約】【課題】  部品点数及び部品の加工が少なくかつ最適な整地ができるようにする。【解決手段】  整地カバー１は耕耘部１１の後方を覆うリヤカバー１５の下端側に備えられていて、整地面ａを有するカバー本体３０と、このカバー本体３０をリヤカバー１５の下部背面の係止部材２４に係脱自在に係止させる装着部材３１とを有する。前記カバー本体３０は左右両側が閉鎖されていて側面視において前後に長い扁平状の空間Ｋを有する空洞体３０Ａを形成し、この空洞体３０Ａの下面に整地面ａを形成し、上面ｂに前記装着部材３１を接合する。【選択図】図１
2008125363.tif 000002
【特許請求の範囲】
【請求項１】
耕耘部（１１）の後方を覆うリヤカバー（１５）の下端側に備えられていて、整地面（ａ）を有するカバー本体（３０）と、このカバー本体（３０）をリヤカバー（１５）の下部背面の係止部材（２４）に係脱自在に係止させる装着部材（３１）とを有する整地カバーにおいて、
前記カバー本体（３０）は左右両側が閉鎖されていて側面視において前後に長い扁平状の空間（Ｋ）を有する空洞体（３０Ａ）で形成され、この空洞体（３０Ａ）の下面に整地面（ａ）が形成され、上面（ｂ）に前記装着部材（３１）が接合されていることを特徴とする整地カバー。
【請求項２】
前記カバー本体（３０）の後端面（ｃ）が装着部材（３１）の後端より後方へ突出されていることを特徴とする請求項１に記載の整地カバー。
【請求項３】
前記カバー本体（３０）が金属パイプを異形加工して扁平状にした空洞体（３０Ａ）に、左右両端の側板（３０Ｂ）とリヤカバー（１５）の後端に覆い被さる前ガイド板（３０Ｃ）とが溶着され、前記空洞体（３０Ａ）の上面（ｂ）に金属製の装着部材（３１）が溶着されていることを特徴とする請求項１又は２に記載の整地カバー。
【請求項４】
前記カバー本体（３０）が樹脂で扁平状の空間（Ｋ）を形成した空洞体（３０Ａ）に、同じく樹脂製の左右両端の側板（３０Ｂ）とリヤカバー（１５）の後端に覆い被さる前ガイド板（３０Ｃ）とが接着され、前記空洞体（３０Ａ）の上面（ｂ）に樹脂製の装着部材（３１）が接着されていることを特徴とする請求項１又は２に記載の整地カバー。
【請求項５】
前記カバー本体（３０）の左右両端に延長整地体（３２）が連結されており、この延長整地体（３２）が前記空洞体（３０Ａ）と同一材料でかつ側面視略同一形状に形成された空洞体に左右両端の側板が接合されていることを特徴とする請求項３又は４に記載の整地カバー。
【発明の詳細な説明】
【技術分野】
【０００１】
本発明は、ロータリ耕耘機のロータリカバーに備えられる整地カバーに関するものである。
【背景技術】
【０００２】
ロータリ耕耘機の耕耘部を覆うロータリカバーは、上方を覆う上部カバーと後方を覆うリヤカバーとを備え、このリヤカバーの後下端に整地カバーが着脱自在に取り付けられている。この整地カバーは板金を湾曲形成し、後下部を上側に丸めており、上面側に溝状部分が形成されることになるため、その溝状部分に泥土が堆積し、整地を適正に行うことが困難になることがある。
そこで、特許文献１に示す従来技術においては、整地カバーの上面側に溝状部分を埋めるための土侵入防止部材を設けたり、整地カバー自体を樹脂の中空製品で形成したりしている。
【特許文献１】特開２００６−７５１６９号公報
【発明の開示】
【発明が解決しようとする課題】
【０００３】
前記土侵入防止部材を設ける従来技術においては、部品点数及び部品の加工が多く、大重量及びコスト高になっており、樹脂の中空製品で形成する従来技術においては、中空内部に泥土が入ることがあり、また、両従来技術はともに、リヤカバーに取り付けるための装着部材とボルト固定する構造になっているため、部品点数が多く、しかも固定用ボルトに泥土が溜まるという問題も生じる。
本発明は、このような問題点を解決できるようにした整地カバーを提供することを目的とする。
【０００４】
本発明は、カバー本体を左右両側閉鎖の扁平状空洞体で形成して、その下面に整地面を形成し、その上面に装着部材を接合することにより、部品点数及び部品の加工が少なくかつ最適な整地ができる整地カバーを提供することを目的とする。
【課題を解決するための手段】
【０００５】
本発明における課題解決のための具体的手段は、次の通りである。
第１に、耕耘部１１の後方を覆うリヤカバー１５の下端側に備えられていて、整地面ａを有するカバー本体３０と、このカバー本体３０をリヤカバー１５の下部背面の係止部材２４に係脱自在に係止させる装着部材３１とを有する整地カバーにおいて、
前記カバー本体３０は左右両側が閉鎖されていて側面視において前後に長い扁平状の空間Ｋを有する空洞体３０Ａで形成され、この空洞体３０Ａの下面に整地面ａが形成され、上面ｂに前記装着部材３１が接合されていることを特徴とする。
【０００６】
第２に、前記カバー本体３０の後端面ｃが装着部材３１の後端より後方へ突出されていることを特徴とする。
第３に、前記カバー本体３０が金属パイプを異形加工して扁平状にした空洞体３０Ａに、左右両端の側板３０Ｂとリヤカバー１５の後端に覆い被さる前ガイド板３０Ｃとが溶着され、前記空洞体３０Ａの上面ｂに金属製の装着部材３１が溶着されていることを特徴とする。
第４に、前記カバー本体３０が樹脂で扁平状の空間Ｋを形成した空洞体３０Ａに、同じく樹脂製の左右両端の側板３０Ｂとリヤカバー１５の後端に覆い被さる前ガイド板３０Ｃとが接着され、前記空洞体３０Ａの上面ｂに樹脂製の装着部材３１が接着されていることを特徴とする。
【０００７】
第５に、前記カバー本体３０の左右両端に延長整地体３２が連結されており、この延長整地体３２が前記空洞体３０Ａと同一材料でかつ側面視略同一形状に形成された空洞体に左右両端の側板が接合されていることを特徴とする。
次に、前記構成の整地カバーの作用を説明する。
下面に整地面ａが形成されるカバー本体３０は、左右両側が閉鎖されていて側面視において前後に長い扁平状の空間Ｋを有する空洞体３０Ａで形成されることにより、軽量でかつ内部に泥土が侵入しなく、安価に形成でき、その上面ｂに装着部材３１が接合されることにより、リヤカバー１５の下部背面の係止部材２４に係脱自在に係止するための装着部材３１を簡単かつ安価に設けておくことができる。
【０００８】
前記カバー本体３０の後端面ｃが装着部材３１の後端より後方へ突出されていれば、ロータリ耕耘機を圃場面近くまで下げて畦際ぎりぎりまで後進させたときに、装着部材３１の後端部が圃場面に刺さらないようにできる。
前記カバー本体３０を金属で形成する場合は、金属パイプを異形加工した空洞体３０Ａに左右両端の側板３０Ｂと上面ｂの装着部材３１とを溶着するだけで形成でき、軽量かつ安価に形成だきる。
前記カバー本体３０を樹脂で形成する場合は、樹脂で扁平状の空間Ｋを形成した空洞体３０Ａに、同じく樹脂製の左右側板３０Ｂと前ガイド板３０Ｃとを接着するだけで形成でき、軽量かつ安価に形成できる。
【０００９】
前記カバー本体３０の左右両端に延長整地体３２を連結する場合、この延長整地体３２は前記空洞体３０Ａと同様に、空洞体に左右両端の側板を接合すれば構成でき、延長整地体３２も軽量かつ安価に形成できる。
【発明の効果】
【００１０】
本発明によれば、カバー本体自体を軽量かつ安価に形成でき、しかも内部に泥土が侵入しなく、その上、装着部材３１も簡単かつ安価に設けておくことができる。
【発明を実施するための最良の形態】
【００１１】
以下、本発明の実施の形態を図面に基づいて説明する。
図４において、ロータリ耕耘機１はトラクタの後部に三点リンク機構等を介して昇降自在に装着されており、中央のギヤケース２から左右にサポートアーム３を突設し、左サポートアーム３の外端側に伝動ケース４の上部を固定すると共に、右サポートアーム３の外端側にサイドフレームの上部を固定して門型の機枠５を構成している。
この機枠５のギヤケース２には前後に二股形状のトップマスト６が上方突出状に固定され、このトップマスト６の前部６ａの上部には、三点リンク機構のトップリンクの後端側又は三点リンク機構の後端側に連結される連結枠の上部に取り付けられる上部取付部７が設けられている。
【００１２】
また、左右各サポートアーム３には、三点リンク機構のロワーリンクの後端側又は三点リンク機構の後端側に連結される連結枠の下部に取り付けられる取付ブラケット８が設けられている。
前記機枠５の下部には、伝動ケース４とサイドフレームとの下部間に爪軸９が回転自在に支持され、この爪軸９に取り付けられた多数の耕耘爪１０によって耕耘部１１が形成されている。
ロータリ耕耘機１には前記耕耘部１１を覆うロータリカバー１３が設けられており、このロータリカバー１３は、耕耘部１１の上方を覆う上部カバー１４と、耕耘部１１の後方を覆うリヤカバー１５と、耕耘部１１の後部の左右両側を覆うサイドカバー１６とを備えている。
【００１３】
上部カバー１４は、その左右方向の端部が、伝動ケース４とサイドフレームとにそれぞれ固定された側板２５に取付固定され、サイドカバー１６も伝動ケース４又はサイドフレーム等に取り付けられている。
リヤカバー１５は、上端側が上部カバー１４の後端側（機枠５側）に、左右方向の軸心を有する支軸１７の軸心回りに回動自在に枢支されており、このリヤカバー１５の後下部に整地カバー１９が着脱自在に取り付けられている。
機枠５には、左右のゲージ輪２０を取り付ける支持フレーム２１が上下揺動自在に支持されており、この支持フレーム２１とトップマスト６の後部６ｂの上部との間には、支持フレーム２１の上下揺動位置を調節すべく伸縮自在な高さ調整機構２２が設けられている。
【００１４】
前記ロータリ耕耘機１にあっては、機枠５とリヤカバー１５とに亘って左右一対の弾下手段２３が設けられており、この弾下手段２３でリヤカバー１５の下端側を下方側（接地方向）に付勢している。
図１〜４において、前記リヤカバー１５の下端側には、整地カバー１９を取り外したときに圃場に接地する整地部１５ａが形成されており、このリヤカバー１５の背面下部には、リヤカバー１５の背面に上部から下部に亘って補強部材２６が左右一対設けられ、この各補強部材２６に係止部材２４が設けられている。
【００１５】
左右各係止部材２４は板材の中央を屈曲してコ字状にプレス加工したものであり、左右側壁及び底壁を有し、その左右側壁の上部側には上方開放状の凹部で形成された係合部２７が前後一対設けられ、下部には丸棒材によって形成された位置決め部２８が前後一対設けられている。
整地カバー１９は、整地面ａを有するカバー本体３０と、このカバー本体３０をリヤカバー１５の下部背面の係止部材２４に係脱自在に係止させる装着部材３１とを有する。
前記カバー本体３０は左右両側が閉鎖されていて側面視において前後に長い扁平状の空間Ｋを有する空洞体３０Ａで形成され、この空洞体３０Ａの下面に大きい曲率の円弧形状整地面ａが形成され、上側に略平坦な上面ｂが形成されている。
【００１６】
前記空洞体３０Ａの上面ｂに前記装着部材３１が接合されており、この装着部材３１の後端より後方へ後端面ｃが突出されている。この後端面ｃは装着部材３１の後端から寸法Ｔだけ突出しており、逆に装着部材３１の後端を後端面ｃから寸法Ｔ以上に前方に位置させてもよい。
前記カバー本体３０は金属又は樹脂（合成樹脂）で形成することができ、金属で形成する場合は、プレス又はバジル加工等により、金属パイプ等の円管を前後方向に長くなるように異形加工して扁平状にすることにより空洞体３０Ａを形成し、この空洞体３０Ａの左右両端に側板３０Ｂを溶着（接合）して空間Ｋを密閉にし、空洞体３０Ａの前端上部にリヤカバー１５の後端に覆い被さる前ガイド板３０Ｃを溶着して形成されている。
【００１７】
前記装着部材３１は一対の開口部３７を打ち抜き形成した金属板を、一対の開口部３７の間で屈曲してコ字状にプレス加工したものであり、左右側壁及び上壁を有し、その左右側壁の下縁が空洞体３０Ａの上面ｂに溶着されており、コ字形状の係止部材２４内に挿入される。この装着部材３１の上部は開口部３７を形成していることにより、整地カバー１９を持ち運びするときの把持部３８となっている。
この装着部材３１はカバー本体３０の上面ｂに直接的に接合されていて、ボルト締結ではないので、カバー本体３０及び装着部材３１に締結構造を作る必要がなく、両者を構成する部品点数が少なくあｋつ製作・加工が簡単にでき、また、カバー本体３０の上面ｂは泥土を溜めてしまう障害物がなく、泥土が載ってもカバー本体３０を傾けるだけで排土できる。
【００１８】
前記カバー本体３０を樹脂で形成する場合は、樹脂で略扁平状の空間Ｋを形成した空洞体３０Ａを形成し、この空洞体３０Ａの左右両端に同じく樹脂製の側板３０Ｂを接着剤等で接着して空間Ｋを密閉にし、前記空洞体３０Ａの上面ｂに樹脂製の装着部材３１を接着して形成される。樹脂製の場合も、空洞体３０Ａには下面に円弧形状の整地面ａが、上側に平坦な上面ｂがそれぞれ形成される。
図３において、前記カバー本体３０の左右両端に延長整地体３２が着脱自在に連結されている。この延長整地体３２は、カバー本体３０から左右方向外方に突出する延長姿勢（図３の状態）と、この延長姿勢からカバー本体３０の上方側に位置する不使用姿勢に姿勢変更自在とされ、且つ延長姿勢へと回動する方向に付勢されている。
【００１９】
また、この延長整地体３２は、前記トップマスト６の後部６ｂに取り付けられた支持ブラケット３３に揺動操作自在に支持された操作レバー３４の揺動操作によって、延長姿勢と不使用姿勢とに姿勢変更操作可能とされており、この操作レバー３４は、ロータリ耕耘機１を上昇させることにより、トラクタの運転席側から把持可能とされており、これによって、延長整地体３２がトラクタの運転席側から遠隔操作可能とされている。
前記延長整地体３２は、前記空洞体３０Ａと同一材料でかつ側面視略同一形状に形成された空洞体に左右両端の側板が接合されており、金属又は樹脂でカバー本体３０と同様に形成されている。
【００２０】
前記整地カバー１９の装着部材３１は前部に装着部３５が形成され、この装着部３５にロック部材３６が設けられている。
装着部３５はリヤカバー１５の係止部材２４に挿入可能な左右幅に形成されており、前部側上部には係止部材２４の係合部２７に上方側から係脱自在に係合する丸棒材製被係合部３９が設けられ、装着部３５の前部側下部には係止部材２４の位置決め部２８に後方側から係合するフック形状の被位置決め部４０が形成され、この被位置決め部４０より後方側に切欠４２が形成されている。
【００２１】
前記ロック部材３６は、装着部３５の上部側に貫通された支軸４３を介して左右方向の軸心廻りに回動自在に支持された枢支部４４と、この枢支部４４に接続部４５を介して接続されたレバー部４６と、枢支部４４から前方側に延設されていて被位置決め部４０とで位置決め部２８を挟持する（掴む）フック状のロック部４７とを有する。
前記ロック部材３６は、コイルバネ４８によってロック方向（図２反時計方向）に付勢されており、この付勢力により支軸４３回りに回動することにより、ロック部４７と被位置決め部４０とで位置決め部２８を挟持するロック位置に保持でき、コイルバネ４８に抗して回動すると、ロック部４７が位置決め部２８から離反したロック状態解除の位置、即ち、非ロック位置に位置変更される。
【００２２】
図１は整地カバー１９の装着部材３１を係止部材２４の前側の係合部２７及び位置決め部２８に係合しており、切欠４２は後側位置決め部２８との干渉を回避しており、図２は整地カバー１９の装着部材３１を係止部材２４の後側の係合部２７及び位置決め部２８に係合している。
なお、本発明は前記実施形態における各部材の形状及びそれぞれの前後・左右・上下の位置関係は、図１〜４に示すように構成することが最良である。しかし、前記実施形態に限定されるものではなく、部材、構成を種々変形したり、組み合わせを変更したりすることもできる。
【００２３】
例えば、ロック部材３６を設ける代わりに、整地カバー１９を位置決めした後に、係止部材２４と装着部３５とにわたってピンを貫通することによって、整地カバー１９をリヤカバー１５に装着するようにしてもよい。
また、左右両端の側板３０Ｂの下縁形状が空洞体３０Ａの整地面ａより下方に突出しているが、整地面ａと略面一になるように形成することが好ましい。
図５は整地カバーをベルト式にした例を示しており、この整地カバー装置５０は左右一対の側板間に左右一対の支持板５２を配置し、それらを複数本の連結杆５１で連結し、側板と支持板５２との間及び左右支持板５２間に前後方向３本のローラ５３（５３Ａ、５３Ｂ、５３Ｃ）をそれぞれ横軸５４を介して回転自在に設け、前後３本のローラ５３にゴム製の環状ベルト５５を巻き掛けている。前記支持板５２には装着部材３１が固着又は一体成形されている。
【００２４】
前記ローラ５３Ａ、５３Ｂ、５３Ｃは中間ローラ５３Ｂが前後ローラ５３Ａ、５３Ｃより大径に形成され、環状ベルト５５は前後中途の下面側に下向き凸形状の整地面ａを形成している。
前記左右一対の側板及び支持板５２は、図５においてはその下縁形状が環状ベルト５５の整地面ａより下方に突出しているが、環状ベルト５５の整地面ａと同一にして、整地カバー装置５０の左右方向全幅に亘って略面一になるように形成することが好ましい。
前記整地カバー装置５０は、ロータリ耕耘作業中にリヤカバー１５に引っ張られ移動するが、環状ベルト５５は圃場に接地してローラ５３によって回動するので、圃場との相対速度差（引きずり）が少なく、整地跡のスジ、むしり等の発生を減少でき、ローラ５３Ａ、５３Ｂ、５３Ｃは径が異なるので環状ベルト５５は前後方向の位置で整地面ａの曲率が異なり、ベルトの屈伸によって泥土、稲藁等が付着しても落とすことが可能になり、整地跡のスジ、むしり等の発生をさらに減少できる。
【００２５】
前記整地カバー装置５０の側板にローラ５３Ａ、５３Ｂ、５３Ｃのいずれかを回転駆動するモータを設け、トラクタの車速センサと連動させて環状ベルト５５を駆動することも可能であり、そのように構成すると、ロータリ耕耘機１の前進速度と環状ベルト５５の移動とを同期させて相対速度差（引きずり）をなくし、整地跡のスジ、むしり等の発生をより確実に減少させることができる。
図６は図５に示したベルト式整地カバー装置５０をリヤカバー１５の後下部に設けた例を示している。この整地カバー装置５０は左右一対の側板５６をリヤカバー１５に固着しているので、前記支持板５２及び装着部材３１は不要である。
【００２６】
このベルト式整地カバー装置５０のその他の構成及び機能は図５に示したものと同様である。
【図面の簡単な説明】
【００２７】
【図１】本発明の実施の形態を示す断面側面図である。
【図２】要部の拡大断面側面図である。
【図３】背面図である。
【図４】ロータリ耕耘機全体の側面図である。
【図５】ベルト式整地カバー装置の１例を示す断面側面図である。
【図６】リヤカバーにベルト式整地カバー装置を設けた例を示す断面側面図である。
【符号の説明】
【００２８】
１１    耕耘部
１５    リヤカバー
１９    整地カバー
２４    係止部材
３０    カバー本体
３０Ａ  空洞体
３０Ｂ  側板
３０Ｃ  前ガイド体
３１    装着部材
３２    延長整地体
ａ      整地面
ｂ      上面
ｃ      後端面
Ｋ      空間
【図１】
2008125363.tif 000003
【図２】
2008125363.tif 000004
【図３】
2008125363.tif 000005
【図４】
2008125363.tif 000006
【図５】
2008125363.tif 000007
【図６】
2008125363.tif 000008